(57)【要約】【課題】換気扇の外径寸法を必要以上に拡大することなく、換気扇の振動が筺体に伝わることを防止することができる電気機器収納用箱の換気扇の取付構造を提供する。【解決手段】換気扇１を筺体２に取付ける構造であり、換気扇の支持部９と筺体への取付部１０とが換気扇１の軸線方向の異なる断面位置に設けられた振動吸収体４を介して取り付けを行う。振動吸収体４は、換気扇の支持部９となる第１溝部を有する軟質材の振動吸収ゴム１１と、筺体への取付部１０となる第２溝部を有する硬質材の支持ゴム１２とからなることが好ましい。【選択図】図３
2010267751.tif 000002
【特許請求の範囲】
【請求項１】
換気扇の支持部と筺体への取付部とが、換気扇の軸線方向の異なる断面位置に設けられた振動吸収体を介して、換気扇を筺体に取付けたことを特徴とする電気機器収納用箱の換気扇の取付構造。
【請求項２】
振動吸収体が、換気扇の支持部となる第１溝部を有する軟質材の振動吸収ゴムと、筺体への取付部となる第２溝部を有する硬質材の支持ゴムとからなることを特徴とする請求項１記載の電気機器収納用箱の換気扇の取付構造。
【請求項３】
振動吸収ゴムは、支持ゴムにより外側から覆われた構造を有するものであることを特徴とする請求項２記載の電気機器収納用箱の換気扇の取付構造。
【請求項４】
換気扇を、ルーバを介して筺体に取付けたことを特徴とする請求項１記載の電気機器収納用箱の換気扇の取付構造。
【発明の詳細な説明】
【技術分野】
【０００１】
本発明は、電気機器収納用箱やラック等の筺体への換気扇の取付構造に関するものである。
【背景技術】
【０００２】
電気機器収納用箱やラック等は、収納された機器の発熱により内部温度が上昇するので、筺体に換気扇を取付けて内部の換気や冷却を行っている。ところが換気扇を直付けした場合には換気扇の運転時に発生する振動が筺体に伝わり、振動騒音が発生するという問題が生じていた。
【０００３】
また、電気機器収納用箱やラック等に換気扇を実装して客先に輸送する場合には、換気扇に輸送振動が直接伝わるので、換気扇のベアリングが損傷し、換気扇の異音や故障の原因にもなっていた。
【０００４】
そこで特許文献１に示すように、換気扇の外側を制震部材で包んだうえで筺体にねじ止めする構造が提案されている。しかしこの構造ではねじを通じて換気扇の振動が筺体に伝わるため、振動騒音を十分に防止することはできなかった。また特許文献２には、換気扇の外側に制震部材を嵌め込み、この制震部材の外周を筺体の開口部付近に嵌め込む構造が提案されている。しかし、この構造では制震部材の厚さ分だけ筐体の開口部が拡大する問題があった。また、換気扇が大型である場合には制震部材を十分に厚くすることができず、やはり振動騒音を十分に防止することはできないことがあった。
【特許文献１】特開２００８−１７７６１４号公報
【特許文献２】特開２００８−１９０４３４号公報
【発明の概要】
【発明が解決しようとする課題】
【０００５】
従って本発明の目的は、換気扇の外径寸法を必要以上に拡大することなく、換気扇の振動が筺体に伝わることを防止することができる換気扇の取付構造を提供することである。
【課題を解決するための手段】
【０００６】
上記の課題を解決するためになされた本発明は、換気扇の支持部と筺体への取付部とが、換気扇の軸線方向の異なる断面位置に設けられた振動吸収体を介して、換気扇を筺体に取付けたことを特徴とするものである。
【０００７】
なお、振動吸収体が換気扇の支持部となる第１溝部を有する軟質材の振動吸収ゴムと、筺体への取付部となる第２溝部を有する硬質材の支持ゴムとからなることが好ましい。また振動吸収ゴムは、支持ゴムにより外側から覆われた構造を有するものであることが好ましい。また換気扇を、ルーバを介して筺体に取付けることもできる。
【発明の効果】
【０００８】
本発明の換気扇の取付構造によれば、換気扇を振動吸収体を介して筺体に取付けたので、換気扇の振動が筺体に伝わることを防止することができる。このため運転時の騒音を低減することができるとともに、筺体に換気扇を実装して客先に輸送する場合にも、換気扇に輸送振動が直接伝わることがなくなり、換気扇のベアリングの損傷が生じない。またこの振動吸収体は換気扇の支持部と筺体への取付部とが、換気扇の軸線方向の異なる断面位置に設けられたものであるから、換気扇の大きさや振動の大きさに応じて振動吸収部を大きくすることができる。
【０００９】
なお、振動吸収体が換気扇の支持部となる第１溝部を軟質材の振動吸収ゴムとし、筺体への取付部となる第２溝部を硬質材の支持ゴムとしておけば、振動吸収性能と支持性能とを両立させることができる。また振動吸収ゴムが支持ゴムにより外側から覆われた構造としておけば、支持性能を向上させることができる。また先に換気扇取付けルーバを取付けている筺体であっても、振動騒音を防止することができる。
【図面の簡単な説明】
【００１０】
【図１】換気扇を備えた筺体を示す全体斜視図である。
【図２】第１の実施形態を示す外観斜視図である。
【図３】第１の実施形態を示す断面図である。
【図４】第１の実施形態を示す断面斜視図である。
【図５】振動吸収ゴムの取り付け方法の説明図である。
【図６】支持ゴムの取り付け方法の説明図である。
【図７】第１の実施形態を示す分解斜視図である。
【図８】第２の実施形態を示す斜視図である。
【図９】第２の実施形態を示す断面図である。
【図１０】第３の実施形態を示す断面図である。
【図１１】第３の実施形態を示す断面斜視図である。
【発明を実施するための形態】
【００１１】
以下に図面を参照しつつ好ましい実施形態を説明する。図１は換気扇１を備えた筺体２を示す全体斜視図である。筺体２は例えば電気機器収納用箱や電子機器収納用のラックなどである。図１では筺体２の左右の側壁を構成する平板５に形成された開口部３に振動吸収体４を介してそれぞれ換気扇１が取付けられているが、換気扇１の取付け位置や個数は任意である。
【００１２】
（第１の実施形態）図２〜図７は本発明の第１の実施形態を示す図である。換気扇１は従来と同様のもので、６は安全用のフィンガーガード、７は取付用平板である。換気扇１はこれらとともにねじ８により一体化されている。取付用平板７は中央に通風用の孔部を有し、その外周にフランジ状に張出されている。なお、取付用平板７は換気扇１の外周にフランジ状に張出されている場合は換気扇１に形成する必要はない。
【００１３】
本発明で用いられる振動吸収体４は、換気扇１の支持部９と筺体１への取付部１０とが、換気扇１の軸線方向の異なる断面位置に設けられたものである。具体的には、振動吸収体４は軟質材の振動吸収ゴム１１と、硬質材の支持ゴム１２とからなり、軟質材の振動吸収ゴム１１は内周部に換気扇の支持部９となる第１溝部を備えている。また硬質材の支持ゴム１２は外周部に筺体１への取付部１０となる第２溝部を備えている。これらの第１溝部と第２溝部とは、図３、図４に示されるように換気扇１の軸線方向の異なる断面位置、すなわち水平方向にずれた位置にある。
【００１４】
振動吸収ゴム１１はスポンジゴムやシリコンゴム等の軟質ゴムであり、耐候性や耐熱性は劣るが振動吸収能力は優れた特性を有するものである。一方、支持ゴム１２は例えばエチレンープロピレン−ジエンゴム（ＥＰＤＭ）等の耐候性や耐熱性に優れるが、振動吸収能力は劣る特性を有する。振動吸収体４の全体を振動吸収ゴム１１により構成すると支持能力が不足するので、これらを組み合わせて使用することが好ましく、この第1の実施形態では図３に示されるように、振動吸収ゴム１１が支持ゴム１２により外側から覆われた構造としてある。ただし本発明ではこれら2種類のゴムを使用することは必須要件ではなく、中間的な性質を備えた単一種類のゴムとしてもよい。
【００１５】
取り付けに際しては、先ず図５に示すように換気扇１の取付用平板７の外周に換気扇の支持部９となる第１溝部を備えた振動吸収ゴム１１を嵌め込む。振動吸収ゴム１１は1本の帯状体である。第１溝部の幅と換気扇１の取付用平板７の幅とはほぼ同じであることが好ましい。端部間の合わせ部は接着剤または加硫接着によって固定する。なお、換気扇１の外周にフランジ状に張出されている場合は張出部を第１溝部に嵌め込むものである。このようにして振動吸収ゴム１１を嵌め込んだうえで、その外周から図６に示すように支持ゴム１２を嵌め込む。その端部間の合わせ部も接着剤または加硫接着によって固定する。その後に、支持ゴム１２の第２溝部を筺体２の開口部３の端部に嵌め込む。
【００１６】
上記した取付構造によれば、換気扇１の振動は振動吸収ゴム１１によって吸収され、また換気扇１の支持部９と筺体２への取付部１０とが異なる断面位置に設けられたものであるから、換気扇の大きさや振動の大きさに応じて振動吸収部を大きくすることが可能であり、筐体２の開口部３を拡大することなく振動吸収部を軸線方向に大きくすることができ、従来通りのサイズの開口部３に取り付け可能である。
【００１７】
なお、第1の実施形態では振動吸収ゴム１１及び支持ゴム１２として1本の帯状ゴムを使用したが、一方または双方を、予め枠状に成形されたゴムとすることもできる。
【００１８】
（第２の実施形態）図８と図９は本発明の第２の実施形態を示す図である。この実施形態では、換気扇１はその外周を軟質材の振動吸収ゴム１１によって直接支持されており、第１の実施形態のように取付用平板７は用いられていない。このため振動吸収ゴム１１が換気扇１の軸線方向に幅広く延びて支持部９を形成している。振動吸収ゴム１１の外側は支持ゴム１２によって覆われており、支持ゴム１２は外周部の端部に筺体１への取付部１０となる第２溝部を備えている。この第２の実施形態によれば振動吸収ゴム１１の体積が大きいので、第１の実施形態よりも振動吸収性能に優れる。
【００１９】
なお、換気扇１の重みによって全体が落下することを防止するために、筺体２に支持金具を取付ける構造としてもよい。
【００２０】
（第３の実施形態）図１０と図１１は本発明の第３の実施形態を示す図である。この実施形態では、換気扇１をルーバ２０を介して筺体２の開口部３に取付けられている。ルーバ２０はステンレスや合成樹脂等からなるもので、その筺体２の内側となる部分にルーバ取付板２１が設けられている。
【００２１】
振動吸収体４は内側の振動吸収ゴム１１と外側の支持ゴム１２とからなるものであり、その内周には換気扇の支持部９となる第１溝部のほかに、ルーバ２０の取付部２２となる第３溝部が、軸線方向に間隔を置いて形成されている。これらの溝幅は、取付用平板７とルーバ取付板２１の幅とそれぞれほぼ同じとしておく。振動吸収ゴム１１や支持ゴム１２の種類は第１の実施形態と同様である。
【００２２】
この実施形態では、ルーバ２０は筺体２の外側部分に段部２３を備えており、図１０に示すようにこの段部２３が開口部３の端部に当接するようにルーバ２０を外側から挿入し、振動吸収体４を筺体２の内側に密着するように嵌め込むことによって固定する。すなわち、振動吸収ゴム１１の第３溝部をルーバ取付板２１に嵌め込み、支持ゴム１２の側面を筺体２の内側に密着させることによってルーバ２０を固定している。そして振動吸収ゴム１１の第１溝部に換気扇１の取付用平板７を嵌め込んで、換気扇１を取付けている。なお、第１の実施形態と同じように支持ゴム１２の側面を筐体２に密着させずに、支持ゴム１２に筐体２への取付部１０を形成して筐体に固定するものであっても良い。
【００２３】
なお、この実施形態では振動吸収体４を利用してルーバ２０を筺体２に取り付け、更に換気扇１を取り付けた。しかしルーバ２０の筺体２への取り付け方法はこれに限定されるものではなく、直接ねじ止めしても、別の取付金具を用いてもよい。また、ルーバ２０と換気扇１とによって筺体２を挟むような構造にしてもよい。
【００２４】
以上に説明したどの実施形態を採用しても、換気扇の大きさや振動の大きさに応じて振動吸収部を大きくすることが可能であり、筐体２の開口部３を必要以上に拡大することなく、換気扇１の振動が筺体２に伝わることを確実に防止することができる。
【符号の説明】
【００２５】
１  換気扇
２  筺体
３  開口部
４  振動吸収体
５  平板
６  フィンガーガード
７  取付用平板
８  ねじ
９  換気扇の支持部
１０  筺体への取付部
１１  軟質材の振動吸収ゴム
１２  硬質材の支持ゴム
２０  ルーバ
２１  ルーバ取付板
２２  ルーバの取付部
２３  段部
【図２】
2010267751.tif 000003
【図３】
2010267751.tif 000004
【図４】
2010267751.tif 000005
【図５】
2010267751.tif 000006
【図６】
2010267751.tif 000007
【図７】
2010267751.tif 000008
【図８】
2010267751.tif 000009
【図９】
2010267751.tif 000010
【図１０】
2010267751.tif 000011
【図１１】
2010267751.tif 000012
【図１】
2010267751.tif 000013